(57)【要約】【課題】カバー部を外して行われる不正を検知することにより、耐タンパ性を向上させた入力装置を提供する。【解決手段】  操作パネル部材４のパッド開口部４ａ周縁の裏面側から、ピンパッド６が装着される。ピンパッド６は、中空ボックス状のメインケース７と、メインケース７に設けられて、パッド開口部４ａからメインケース７が取り外されたことを検知する検知スイッチ２２とを、備えている。検知スイッチ２２の周囲には、金属製のリング部材２４を設けた。【選択図】図２
2018139095.tif 000002
【特許請求の範囲】
【請求項１】
被装着部に装着される中空ボックス状のケースと、
前記ケースの前記被装着部側に設けられて、前記被装着部から前記ケースが取り外されたことを検知する検知スイッチとを、備え、
前記検知スイッチの周囲に防護部材を設けたことを特徴とする検知部。
【請求項２】
前記防護部材は、筒状であることを特徴とする請求項１に記載の検知部。
【請求項３】
前記防護部材は、立壁状であることを特徴とする請求項１または２に記載の検知部。
【請求項４】
前記防護部材は、金属製であることを特徴とする請求項１〜３の何れか一項に記載の検知部。
【請求項５】
前記防護部材は、タンパ線を配索するフレキシブルケーブルであることを特徴とする請求項１〜４の何れか一項に記載の検知部。
【請求項６】
前記フレキシブルケーブルは、前記検知スイッチの周囲に巻き付けられていることを特徴とする請求項５記載の検知部。
【請求項７】
前記フレキシブルケーブルは、前記ケース内に収納された回路基板の裏面側を覆う防護フィルムから延設されて、折り返されていることを特徴とする請求項５または６記載の検知部。
【請求項８】
前記ケースは、少なくとも一部に開口部が開放されたメインケースと、前記開口部を覆うパネルとを有し、
前記検知スイッチは、前記パネルに開口形成された挿通孔から突出されるボタン部と、該ボタン部よりも大きな基部と、前記ボタン部と基部との間に形成されて、前記挿通孔の周縁部の下側に当接する段差部とを有し、
前記防護部材は、前記段差部の周囲に配置されることを特徴とする、請求項１〜７の何れか一項に記載の検知部を備えた入力装置。
【請求項９】
前記ケースが取付けられる箱形の筺体と、前記筺体の一部に設けられる操作パネル部材と、前記操作パネル部材の裏面側に設けられて前記ケースが前記筺体の内部から装着される被装着部と、を備え、
前記検知スイッチは、前記ケースから突設されて、前記ケースの前記被装着部への装着で、押圧された状態となり、前記ケースが前記被装着部から取り外されると、押圧された状態が解除されて、前記ケースが取り外されたことを検知できる位置に設けられていることを特徴とする、請求項１〜７の何れか一項に記載の検知部を備えた自動預け払い機。
【発明の詳細な説明】
【技術分野】
【０００１】
本発明は、検知部、特に、ピンパッド（pin pad=personal identification number pad）などのテンキーによって入力を行う入力装置、該検知部を備えた自動預け払い機に関する。
【背景技術】
【０００２】
従来のこの種のものでは、ＡＴＭ（atm=automatic teller machine）等の自動預け払い機の筺体の操作面に、入力装置が設けられている。この入力装置には、制御部と、操作面に形成された開口部に装着される中空ボックス状のケースと、ケースの上面部を覆うように設けられる蓋体と、この蓋体に配列される複数の操作キーを有するキーボードと、検知スイッチとが備えられている。
また、ケースの内部には、キーボード処理用プリント基板が設けられている。キーボード処理用プリント基板は、各操作キーのキー操作を直接、電気的信号に変換している。
キーボード処理用プリント基板は、制御部に接続されている。制御部は、電気的信号を暗号化するように構成されている。
【０００３】
また、入力装置は、各操作キーとは別途、入力装置の装着状態を検知する検知スイッチを設けることによりセキュリティを高めることが出来る。
検知スイッチは、制御部に接続されている。そして、制御部は、検知スイッチの電気的な導通の有無から入力装置の装着状態を検出する。
【０００４】
すなわち、入力装置が操作面から取り外されると、検知スイッチが開放される。
制御部は、検知スイッチの開放により、電気的な導通が停止したことを検知すると、タンパ応答プロトコルを開始する。
タンパ応答プロトコルでは、制御部の内部に蓄積されたキー入力情報等の守秘情報を破棄するか、あるいは、デバイスを動作不能状態とするかのうち、少なくとも何れか一方が実行される。これにより、不正な情報の取り出しが防止される。
【先行技術文献】
【特許文献】
【０００５】
【特許文献１】米国特許７２７０２７５号明細書
【発明の概要】
【発明が解決しようとする課題】
【０００６】
しかしながら、特許文献１に記載された従来の入力装置では、何らかの手段によって、外部からケース内の検知スイッチを押さえつけて、ＯＮ状態に固定する。
そして、検知スイッチがＯＮ状態を保持したまま、ＡＴＭから入力装置を取り外す不正が考えられる。
このような場合、検知スイッチがＯＮ状態のままであるため、ケースがＡＴＭから取り外されたことを検知できない。このため、入力装置への不正なアクセスまたは情報の不正な取り出しが行われる可能性があった。
【０００７】
また、検知スイッチを外部から操作できないようにケースを金属製材料で作成することも考えられる。しかしながら、ケースを金属製材料で作成すると、製造コストが高額なものとなってしまうといった問題があった。
そこで、本発明は、ケースを外して行われる不正を行えなくして、安価に耐タンパ性を向上させた検知部、該検知部を備えた入力装置および該検知部を備えた自動預け払い機を提供することを目的とする。
【課題を解決するための手段】
【０００８】
本発明は、被装着部に装着される中空ボックス状のケースと、ケースの被装着部側に設けられて、被装着部からケースが取り外されたことを検知する検知スイッチとを、備え、検知スイッチの周囲に防護部材を設けた、ことを特徴としている。
【発明の効果】
【０００９】
本発明によれば、検知スイッチの周囲に設けられた防護部材によって、外部から物理的に検知スイッチに到達できない。
このため、外部からケース内の検知スイッチを押さえつけて、ＯＮ状態に保持したまま、被装着部からケースを取り外す不正が行えない。
したがって、安価に耐タンパ性を向上させた検知部、該検知部を備えた入力装置および該検知部を備えた自動預け払い機が提供される。
【図面の簡単な説明】
【００１０】
【図１】自動預け払い機の全体の構成を示す斜視図である。
【図２】実施形態１の自動預け払い機に用いられる入力装置の構成を説明する分解斜視図である。
【図３】実施形態１の入力装置の構成を説明し、検知部周辺の要部を拡大した分解斜視図である。
【図４】実施形態１の入力装置で、図３中ＩＶ−ＩＶ線に沿った位置での断面図である。
【図５】実施形態１の入力装置が自動預け払い機に取り付けられる様子を示す分解斜視図である。
【図６】実施形態１の自動預け払い機で、図５中ＶＩ−ＶＩ線に沿った位置での断面図である。
【図７】実施形態２の入力装置で、検知部周辺の要部の分解斜視図である。
【図８】実施形態２の入力装置で、図７中ＶＩＩＩ−ＶＩＩＩ線に沿った位置での縦断面図である。
【図９】実施形態３の自動預け払い機に用いられる入力装置の構成を説明する分解斜視図である。
【図１０】実施形態３の入力装置で、図９中Ｘ−Ｘ線に沿った位置での断面図である。
【図１１】実施形態４の入力装置で、フレキシブルケーブルの端部の拡大斜視図を示し、（ａ）は、タンパ線が設けられた延長部を端縁から突出させた様子を示し、（ｂ）は、延長部を折り曲げた様子を示し、（ｃ）は、延長部を筒状とした様子を示す拡大斜視図である。
【図１２】実施形態４の入力装置で、延長部を筒状とした様子を示し、図８に相当する部分での縦断面図である。
【図１３】実施形態５の自動預け払い機に用いられる入力装置の構成を説明する分解斜視図である。
【図１４】実施形態５の入力装置で、フレキシブルケーブルの端部の拡大斜視図を示し、（ａ）は、タンパ線が設けられた延長部を端縁から突出させた様子を示し、（ｂ）は、延長部を折り曲げた様子を示し、（ｃ）は、実施形態６の延長部を筒状とした様子を示す拡大斜視図である。
【図１５】実施形態５の入力装置で、検知部の構成を示す図１３中ＸＶ−ＸＶ線に沿った位置での断面図である。
【図１６】実施形態６の入力装置で、検知部の構成を示す図１５に相当する部分の縦断面図である。
【図１７】実施形態７の入力装置で、キーボードパネルの斜視図である。
【図１８】実施形態７の入力装置で、検知部の構成を示す図１７中ＸＶＩＩＩ−ＸＶＩＩＩ線に沿った位置での縦断面図である。
【図１９】実施形態８の入力装置で、キーボードパネルの斜視図である。
【図２０】実施形態８の入力装置で、検知部の構成を示す図１９中ＸＸ−ＸＸ線に沿った位置での断面図である。
【図２１】実施形態９の検知部で、要部の構成を説明する縦断面図である。
【図２２】実施形態１０の検知部で、要部の構成を説明する縦断面図である。
【図２３】実施形態１１の検知部で、要部の構成を説明する縦断面図である。
【図２４】実施形態１２の検知部で、要部の構成を説明する縦断面図である。
【図２５】実施形態１３の検知部で、要部の構成を説明する縦断面図である。
【図２６】実施形態１４の検知部で、要部の構成を説明する縦断面図である。
【図２７】実施形態１５の検知部で、要部の構成を説明する縦断面図である。
【図２８】実施形態１６の検知部を構成するリング部材および縦壁部材を示す斜視図である。
【図２９】実施形態１６の入力装置で、検知部の構成を説明する縦断面図である。キーボードパネルの斜視図である。
【発明を実施するための形態】
【００１１】
［実施形態１］
本発明の実施形態１について、図１乃至図６を参照して詳細に説明する。説明において、同一の要素には同一の番号を付し、重複する説明は省略する。
【００１２】
［全体の構成］
図１は、実施形態１の自動預け払い機１の構成を説明する斜視図である。
まず、全体の構成について説明すると、この自動預け払い機１は、略箱形の筺体２を有している。この筺体２の操作者側に位置する前面部３には、操作パネル部材４と、この操作パネル部材４よりも上側に位置する表示パネル部材５とが設けられている。
このうち、操作パネル部材４の一部には、暗証番号等の暗号情報を入力するピンパッド６が配設されている。
【００１３】
図２は、実施形態１の自動預け払い機１に用いる入力装置としてのピンパッド６の構成を説明する分解斜視図である。
この実施形態１のピンパッド６は、メインケース７と、制御部１０と、キーボードパネル１１とを主に有している。
【００１４】
このうち、メインケース７は、上面視略矩形の周壁部に囲まれている上面部のほぼ全面に、開口部７ａが開口形成されている。この開口部７ａには、キーボードパネル１１が開閉可能に装着される。キーボードパネル１１は、金属製にて構成されているが、後述するリング部材２４と溶接しない場合には、樹脂製であってもよい。
そして、メインケース７は、キーボードパネル１１が蓋体として組み合わせられた状態で略直方体の中空ボックス状となるように形成されている。
この実施形態１では、メインケース７の内側に制御部１０の保護ケース１０ａが配置されている。
制御部１０は、保護ケース１０ａ内に電子部品８および制御印刷配線板９を収納している。そして、これらのメインケース７および保護ケース１０ａの周壁部は、内外方向で重複する。このため、保護ケース１０ａ内に収納される電子部品８および制御印刷配線板９の周囲は、二重の周壁部によって覆われて、外部からの物理的な侵入に対して保護されるように構成されている。
【００１５】
キーボードパネル１１には、複数のキー孔１１ｂ，１１ｃが所定の間隔で開口形成されている。キーボードパネル１１の各キー孔１１ｂ，１１ｃには、それぞれ上下動自在となるように複数の操作キー１０１ｂ，１０１ｃが設けられている。操作キー１０１ｂ，１０１ｃは、数字キーまたは実行キー等の特定の機能キーを含んで構成されている。
そして、キーボードパネル１１は、キーボードパネル１１の裏面の四隅に立設されて、メインケース７の内側に装着される四隅の４本の支柱１２…で支持されて、メインケース７の開口部７ａを覆うように装着される。
【００１６】
さらに、ピンパッド６は、ゴムシート１０２と、キー操作入力部２３と、フレキシブルケーブル２０とを有している。
このうち、ゴムシート１０２は、各操作キー１０１ｂ，１０１ｃおよびキー操作入力部２３との間に挟まれて、各操作キー１０１ｂ，１０１ｃを下方から弾性支持する。
また、キー操作入力部２３は、キーパッド印刷配線板１６と、キーパッド印刷配線板１６の上に載置される複数の皿バネ部材１７ｂ，１７ｃおよび小皿バネ部材１８と、接着層１９とを積層して構成されている。
【００１７】
この実施形態１のキーパッド印刷配線板１６は、平面視長方形で平板状のガラス・エポキシ基板にて構成されている。しかしながら、特にこれに限らず他の種類の材質で形成される層を有する基板、たとえば紙フェノール基板にて構成されていてもよい。
また、キーパッド印刷配線板１６は、制御印刷配線板９上の電子部品８と電気的に接続されている。
各操作キー１０１ｂ，１０１ｃの押し下げにより、皿バネ部材１７ｂ，１７ｃは、キーパッド印刷配線板１６上の端子間を接続して、電気的に導通させる。電流は入力キー信号として、制御印刷配線板９に送られる。そして、電子部品８は、キー操作入力部２３から送られてくる入力キー信号を暗号化するように構成されている。
【００１８】
さらに、フレキシブルケーブル２０は、可撓性を有する、例えばＦＰＣ（フレキシブルプリンテッド回路基板）によって構成されている。フレキシブルケーブル２０の内側面（キーパッド印刷配線板１６に対向する面）には、タンパ線３０（図３参照）が配索されていて、折り曲げ可能に構成されている。
この実施形態１のフレキシブルケーブル２０には、長手方向のほぼ中央に両側が切り欠かれた折り返し部２０ｃが設けられている。そして、この折り返し部２０ｃを挟んで、上側ケーブル２０ａおよび下側ケーブル２０ｂは、図２中矢印Ｆに示すように、二つ折れ状に折り返えされる。一方、制御部１０は、キー操作入力部２３の裏面側に隣接して配置される。これにより、フレキシブルケーブル２０は、キー操作入力部２３とともに制御部１０を覆う。
【００１９】
すなわち、上側ケーブル２０ａおよび下側ケーブル２０ｂは、ほぼ同じ面積を有するように構成されている。このため、折り返しにより、フレキシブルケーブル２０は、上側ケーブル２０ａおよび下側ケーブル２０ｂの内側面が対向した袋状の空間部を形成する。
そして、袋状となったこれらの上側ケーブル２０ａおよび下側ケーブル２０ｂ間に、挟み込まれるように制御部１０とキー操作入力部２３とが収納される。
上側ケーブル２０ａの内側面は、接着層１９によってキーパッド印刷配線板１６の上面に接着される。この際、各皿バネ部材１７ｂ，１７ｃおよび小皿バネ部材１８の装着されている箇所は、逃げ孔１９ａ，１９ｂ等によって接着されないように回避されている。
【００２０】
また、下側ケーブル２０ｂは、内側面をキーパッド印刷配線板１６の下面側に廻りこませた状態で、制御部１０とともに固定される。
なお、キーパッド印刷配線板１６の周縁に位置する上側ケーブル２０ａの外縁部と下側ケーブル２０ｂの外縁部との間をお互いに接合させるように構成してもよい。
【００２１】
この実施形態のフレキシブルケーブル２０の上側ケーブル２０ａおよび下側ケーブル２０ｂの各内側面には、全面に渡り２本あるいはそれ以上（例えば信号線も含めて５本など）のタンパ線３０が連続して平行に蛇行しながら隙間なく配索されている。
従って、タンパ線３０の配索パターンは、外部から見えない。このため、配索パターンの隙間を狙って不正な侵入を行うことは困難である。
【００２２】
また、制御部１０およびキーパッド印刷配線板１６は、接続経路も含めて上，下面がフレキシブルケーブル２０によって覆われている。
フレキシブルケーブル２０に配索されたタンパ線３０は、キーパッド印刷配線板１６を介して、制御部１０の制御印刷配線板９（図２参照）に接続されている。
例えば、不正が行われ、フレキシブルケーブル２０の上側ケーブル２０ａまたは下側ケーブル２０ｂに設けられたタンパ線３０のうち、何れかの部分が外部からの物理的な侵入により切断される。この場合、フレキシブルケーブル２０に接続されている制御部１０の電子部品８は、断線による電気的な導通の停止を検出して、不正を検知することができる。
【００２３】
このように、この実施形態１のキー操作入力部２３は、タンパ線３０を配索したフレキシブルケーブル２０によって覆われている。このため、上，下面の方向から試みられる不正な侵入に対して、制御部１０内に保存されている守秘情報を保護することができる。
【００２４】
［検知部の構成］
また、図３〜５に示すように、この実施形態１のピンパッド６には、メインケース７が被装着部４ｃに装着されているか否か、ピンパッド６の自動預け払い機１への装着状態を検知する検知部２１が設けられている。
図５，６に示すように、この実施形態１の被装着部４ｃは、パッド開口部４ａの周縁の裏面側４ｂに設けられている。
検知部２１は、この裏面側４ｂに対向するピンパッド６の上面部周縁に設けられていて、キーボードパネル１１に形成された挿通孔１１ａから先端２２ｃを突出させる検知スイッチ２２およびこの検知スイッチ２２に対応するキーパッド印刷配線板１６の端子類によって構成されている。そして、検知部２１は、被装着部４ｃからメインケース７が取り外されたことを検知可能に構成されている。
【００２５】
すなわち、実施形態１のピンパッド６には、上面側の左，右側縁部６ａ，６ａ近傍にそれぞれ、検知スイッチ２２が設けられている（図５参照）。
検知スイッチ２２は、円柱状のボタン部２２ａと、ボタン部２２ａよりも大径に形成される基部２２ｂと、ボタン部２２ａよりも小径に形成される後端部２２ｄとが同軸上に連設されて一体に形成されている（図４参照）。
【００２６】
このうち、ボタン部２２ａは、キーボードパネル１１に形成された挿通孔１１ａに下方から挿通されて、上下方向に摺動自在に配置される。
また、基部２２ｂは、ボタン部２２ａよりも大径に形成されていて、後述する防護部材としてのリング部材２４の内側で上下動方向に摺動自在となるように構成されている。ボタン部２２ａと基部２２ｂとの間には、径寸法の相違により形成される段差部２２ｅが設けられている。
段差部２２ｅは、挿通孔１１ａの周縁部の下側に当接する。これにより、検知スイッチ２２は、先端２２ｃを一定量、挿通孔１１ａから上方に向けて突出させた状態で、上方に移動しないように阻止される。そして、検知スイッチ２２の挿通孔１１ａからの抜け落ちが防止されている。
【００２７】
さらに、図４に示すように、検知スイッチ２２の後端部２２ｄは、下端をフレキシブルケーブル２０の上側ケーブル２０ａに当接させている。キーパッド印刷配線板１６の上面側で、上側ケーブル２０ａの下方には、小皿バネ部材１８が挟まれて配置されている。
また、水平方向での後端部２２ｄの下端の位置は、小皿バネ部材１８の配置位置の上方となるように設けられている。
そして、ボタン部２２ａは、挿通孔１１ａの軸方向に沿って所定のストロークで摺動可能に構成されている。
【００２８】
ボタン部２２ａは、先端２２ｃを被装着部４ｃに当接させて、小皿バネ部材１８の付勢力に抗して押し下げられる。このボタン部２２ａの後端部２２ｄは、小皿バネ部材１８を押し下げて、キーパッド印刷配線板１６に形成された図示しない対となる接点間が小皿バネ部材１８によって接続される。この接続により、キーパッド印刷配線板１６の回路が電気的に導通状態となる。
キーパッド印刷配線板１６にて電気的な導通が開始されると、保護ケース１０ａ内の制御部１０は、自動預け払い機１を稼働準備段階に移行させる。
【００２９】
例えば、図５に示すように、操作パネル部材４が筺体２に装着される際、二点鎖線の位置にピンパッド６が配置される。この位置では、検知部２１のボタン部２２ａが操作パネル部材４のパッド開口部４ａの周縁の裏面側（被装着部）に当接して押し下げられる。
このため、キーパッド印刷配線板１６では、対となる接点間が接続されて、電気的な導通にて制御部１０は、ピンパッド６がパッド開口部４ａに装着されたことを検知することができる。
【００３０】
また、検知スイッチ２２のボタン部２２ａが押し下げられていない状態では、キーパッド印刷配線板１６の上面側に配置された小皿バネ部材１８によって下方から上方に向けて付勢されていて、キーパッド印刷配線板１６の回路が電気的に非導通状態となる。
すなわち、図５に示す実線で示すようにピンパッド６がパッド開口部４ａから取り外されている状態では、ボタン部２２ａの押圧が開放されて、小皿バネ部材１８の付勢力により、キーボードパネル１１の上面側から検知スイッチ２２の先端２２ｃが突出する。
この状態では、キーパッド印刷配線板１６の接点間の接続が開放されて、電気的な導通は停止する。
制御部１０は、電気的な導通の停止により、ピンパッド６が操作パネル部材４の裏面側から外されて、装着状態ではなくなったことを検知することができる。
【００３１】
［防護部材の構成］
実施形態１の防護部材は、金属製のリング部材２４によって構成されている（図３，４参照）。リング部材２４は、円筒形状を呈している。
【００３２】
図４に示すように、リング部材２４は、キーボードパネル１１とキーパッド印刷配線板１６との間で上下方向から挟持されている。この実施形態１のリング部材２４の上端面２４ａは、キーボードパネル１１の裏面側に溶接されて固定されている。また、リング部材２４の下端面２４ｂは、キーパッド印刷配線板１６の上面部に敷設された上側ケーブル２０ａの上面に当接されて、小皿バネ部材１８が配置されている部分を囲むように装着されている。
また、ゴムシート１０２は、上側ケーブル２０ａの上面とキーボードパネル１１の下面との間に挟持される。
ゴムシート１０２には、メインケース７の側壁部側に、一部切り欠きを有する略円形の挿通溝１０３が形成されている。この挿通溝１０３内には、検知スイッチ２２の基部２２ｂの外側を囲むようにリング部材２４が介装されている。
リング部材２４は、キーボードパネル１１がメインケース７の開口部７ａに装着された状態で内側に位置する検知スイッチ２２の基部２２ｂを全周に渡り覆う。
【００３３】
このように、キーボードパネル１１がメインケース７の開口部７ａに装着された状態では、検知スイッチ２２の基部２２ｂが金属製のリング部材２４によって全周を覆われて、メインケース７の外部から基部２２ｂ方向への不正な侵入が阻止される。
なお、この実施形態１のリング部材２４の上端面２４ａは、キーボードパネル１１の裏面側に溶接されているが、特にこれに限らない。例えば、隙間なく当接されていればよく、接着されていても、いなくてもよい。
【００３４】
［作用効果］
このように構成された実施形態１の自動預け払い機１では、図６中、二点鎖線で示すように、パッド開口部４ａの周縁部の裏面側４ｂに装着されている状態から、実線に示すようにピンパッド６が取り外される。
ピンパッド６の取り外しにより、ボタン部２２ａは、図４に示す小皿バネ部材１８の弾性反力によって上方へ押し戻される。このため、キーパッド印刷配線板１６の接点は開放されて、電気的な導通が停止する。
制御部１０は、この電気的な導通の停止を検出することにより、ピンパッド６が取り外されたことを検知することができる。
【００３５】
たとえば、二点鎖線位置から実線に示すように、ピンパッド６を操作パネル部材４の裏面側から無理に取り外そうとすると、図４に示すように、小皿バネ部材１８の付勢力によって、ボタン部２２ａが上方へ移動し挿通孔１１ａ内から突出するとともに、キーパッド印刷配線板１６から、小皿バネ部材１８が離間して接点間の電気的な導通を停止させる。
制御部１０は、電気的な導通の停止により、ピンパッド６のメインケース７が操作パネル部材４から外されたことを検知する。
【００３６】
そして、制御部１０は、タンパ応答プロトコルを開始する。タンパ応答プロトコルでは、制御部１０の内部に蓄積されたキー入力情報等の守秘情報を破棄するか、あるいは、デバイスを動作不能状態とするかのうち、少なくとも何れか一方が実行される。これにより、制御部１０からの不正な情報の取り出しを行えなくなる。
【００３７】
さらに、タンパ応答プロトコルが開始されないように、不正な取り外しが行なわれる場合がある。このような場合、何らかの手段によって、メインケース７の側面から侵入して、検知スイッチ２２を押さえつけて固定する。
これにより、検知部２１は、ボタン部２２ａが押し下げられたＯＮ状態に保持されたままとなり、パッド開口部４ａの裏面側からピンパッド６を取り外すことが可能となる。
このような物理的な侵入では、接点間の電気的な導通が停止しないため、制御部１０は、ピンパッド６が取り外されたことを検知できない。このため、タンパ応答プロトコルが開始されず、不正なアクセスまたは情報の不正な取り出しが行なわれてしまう虞があった。
【００３８】
これに対して、実施形態１の検知部２１は、金属製のリング部材２４によってメインケース７内部の検知スイッチ２２が覆われている。このため、外部からの不正な侵入は、リング部材２４によって阻まれて、物理的に検知スイッチ２２の基部２２ｂおよび段差部２２ｅに到達することが出来ない。
段差部２２ｅの周囲に設けられる防護部材の範囲は、たとえば挿通孔１１ａの周縁部の下側から、検知スイッチ２２のボタン部２２ａが押し下げられたＯＮ状態の段差部２２ｅの上面位置までの範囲に存在し、さらに好ましくは、段差部２２ｅのストローク範囲内である。
【００３９】
このように、実施形態１のピンパッド６では、外部からメインケース７内の検知スイッチ２２まで物理的に侵入できない。このため、検知スイッチを押さえつけることが出来ず、検知スイッチ２２をＯＮ状態に保持したまま、操作パネル部材４の裏面側からメインケース７を取り外す不正を行なうことができない。
【００４０】
このように、この実施形態１のピンパッド６では、メインケース７を非金属材料、例えば樹脂製としても所望の守秘情報の保護が図れる。
また、この実施形態１の自動預け払い機１では、筺体２の強度も、メインケース７と同様に金属製として高める必要はなくなる。よって、筺体２を非金属材料、例えば樹脂製としても所望の守秘情報の保護を図ることができる。
したがって、この実施形態１では、検知スイッチ２２の周囲に筒状のリング部材２４を設けた検知部２１を用いることにより、メインケース７を筺体２から外して行われる不正を阻止できる。このため、安価に耐タンパ性を向上させたピンパッド６および自動預け払い機１が提供される。
【００４１】
更に、この実施形態１のピンパッド６では、図３に示すように金属製のリング部材２４が円筒形状を呈している。
このため、検知スイッチ２２の周囲の何れの方向から不正な侵入が行われても、リング部材２４によって阻まれて、物理的に検知スイッチ２２の基部２２ｂおよび段差部２２ｅに到達することが出来ない。
しかも、この実施形態１のピンパッド６では、図４に示すようにボタン部２２ａと基部２２ｂとの間に形成された段差部２２ｅは、高さ方向で挿通孔２６ａの周縁部の下側に当接する位置付近となるように装着されている。挿通孔２６ａの周縁部の下側とリング部材２４の上端面２４ａとの間は、溶接により接合されている。
このため、挿通孔２６ａの周縁部の下側に沿って不正な侵入が試みられても、溶接されたリング部材２４によって阻まれて、物理的に検知スイッチ２２の基部２２ｂおよび段差部２２ｅに到達することが出来ない。したがって、更に守秘情報の保護性を向上させることができる。
【００４２】
また、図４に示すように、検知スイッチ２２の下方は、フレキシブルケーブル２０によって覆われている。このため、検知スイッチ２２の下方向から不正な侵入が行われると、フレキシブルケーブル２０に配索されているタンパ線３０を切断してしまう。
さらに、図６に示すように、検知スイッチ２２の上方には、操作パネル部材４が装着されているので、物理的に侵入出来ない。このように、あらゆる方向からの侵入に対して、タンパ応答プロトコルを開始でき、耐タンパ性が良好である。
【００４３】
［実施形態２］
図７は、実施形態２の入力装置としてのピンパッド１０６で、要部の分解斜視図、図８は、図７中ＶＩＩＩ−ＶＩＩＩ線に沿った位置での縦断面図である。なお、実施形態１の入力装置と同一乃至均等な部分については、同一符号を付して説明を省略し、相違点を中心に説明する。
この実施形態２では、キーボードパネル２５がほぼ同じ大きさの上側パネル２６と下側パネル２７との２枚を有して構成されている。そして、これらの２枚の上側パネル２６と下側パネル２７とが重ね合わせられて一枚のキーボードパネル２５として使用される。
このうち、下側パネル２７の挿通孔２７ａは、上側パネル２６の挿通孔２６ａよりも大径となるように構成されている。
【００４４】
また、この実施形態２の検知部２１ａは、防護部材としてリング部材２８を用いている。リング部材２８は、上端縁に段差部２８ａが形成されている。そして、段差部２２ｅは、下側パネル２７の挿通孔２７ａに挿通されて嵌合するように構成されている。
【００４５】
次に、この実施形態２の検知部２１ａの作用効果について説明する。
図８に示すように、この実施形態２のリング部材２８には、段差部２８ａが形成されていて、上側パネル２６と別体で重合される下側パネル２７の挿通孔２７ａに嵌合されている。
このため、下側パネル２７とメインケース７の上縁部７ｂとの間から不正な侵入を行おうとしても、挿通孔２７ａが嵌合された段差部２８ａを有するリング部材２８に阻まれて、検知スイッチ２２まで到達できない。
さらに、この実施形態２のピンパッド１０６では、段差部２８ａが下側パネル２７の挿通孔２７ａに嵌合されているため、リング部材２８の位置安定性が良好である。このため、溶接により当接させる場合と比べて、装着を容易に行うことができる。
【００４６】
他の構成、および作用効果については、実施形態１と同一乃至均等であるので説明を省略する。
なお、この実施形態２のリング部材２８は、上端縁に段差部２８ａを形成しているが特にこれに限らず、例えば段差部の無い円筒形状にリング部材２８が形成されていてもよい。
この場合、リング部材２８の上端部の外周縁が下側パネル２７の挿通孔２７ａに嵌合する。したがって、この場合も不正な侵入を阻むことができるとともに、リング部材２８の位置安定性が良好である。
【００４７】
［実施形態３］
図９は、実施形態３の入力装置としてのピンパッド２０６の構成を説明する分解斜視図である。また、図１０は、図９中Ｘ−Ｘ線に沿った位置で、検知部２１ｂを拡大した断面図である。なお、実施形態１，２の入力装置と同一乃至均等な部分については、同一符号を付して説明を省略し、相違点を中心に説明する。
【００４８】
この実施形態３のフレキシブルケーブル１２０は、折り返し部１２０ｃを挟んで、上側ケーブル１２０ａおよび下側ケーブル１２０ｂが連設されている。さらに、この実施形態３のフレキシブルケーブル１２０は、防護部材となる立壁状のタンパ線延長部１２１を有している。
このタンパ線延長部１２１は、上側ケーブル１２０ａの外側縁から外側方に向けて突設されて延設される括れ部１２１ｂと、この括れ部１２１ｂに連設される幅広の縦壁部１２１ａとを含み、平面視略Ｔ字状を呈している。
【００４９】
さらに、このタンパ線延長部１２１は、括れ部１２１ｂから縦壁部１２１ａに至るまでほぼ全域に、タンパ線３０が配索されている。このタンパ線３０は、フレキシブルケーブル１２０の上側ケーブル１２０ａおよび下側ケーブル１２０ｂに設けられている図示しないタンパ線３０と接続されている。これにより、タンパ線延長部１２１内のタンパ線３０が断線すると電気的導通が停止したことを制御部１０が検知可能としている。
【００５０】
図１０に示すように、タンパ線延長部１２１は、上側ケーブル１２０ａからほぼ直角に屈曲されて上方に向けて延設されている。そして、キーボードパネル１１の裏面側にタンパ線延長部１２１の上端縁１２１ｄを当接させて、基部２２ｂのメインケース７の内側面に対向する部分がタンパ線延長部１２１によって覆われている。
【００５１】
また、この実施形態３のタンパ線延長部１２１は、上側ケーブル１２０ａから屈曲される括れ部１２１ｂの幅方向寸法Ｗ１と比較して、上端縁１２１ｄ近傍の幅方向寸法Ｗ２が大きくなるように設定されている（図１１（ａ）等参照）。
【００５２】
次に、この実施形態３の検知部２１ｂの作用効果について説明する。
この実施形態３の検知部２１ｂでは、実施形態１，２の検知部２１，２１ａの作用効果に加えてさらに、次の作用効果を奏する。
すなわち、図１０に示すように、タンパ線延長部１２１がメインケース７の内側に沿って平行に一直線状に配置されて、検知スイッチ２２との間に介在する立壁状の縦壁部１２１ａを形成する。このため、キーボードパネル１１とメインケース７の上縁部７ｂとの間から不正な侵入を行おうとしても、タンパ線延長部１２１に阻まれて、検知スイッチ２２まで到達できない。
【００５３】
また、無理にタンパ線延長部１２１を破り、不正に侵入しようとするとタンパ線延長部１２１に配索されたタンパ線３０を切断してしまう。このため、タンパ応答プロトコルが開始されてしまうため、不正を行なうことができない状態となる。
【００５４】
更に、このタンパ線延長部１２１は、括れ部１２１ｂで折り曲げられて、上端縁１２１ｄをキーボードパネル１１の裏面側に当接させた縦壁部１２１ａを有している。この縦壁部１２１ａの幅方向寸法Ｗ２は、括れ部１２１ｂの幅方向寸法Ｗ１と比較して、大きく設定されている。
このため、検知スイッチ２２の側面とメインケース７の内側面との間に、内側面と平行に所望の面積のタンパ線延長部１２１を配置出来る。したがって、効率よく不正な侵入が想定される部分にタンパ線延長部１２１を配置して、有効に不正な侵入を阻止できる。
【００５５】
また、タンパ線延長部１２１に配索されているタンパ線３０は、フレキシブルケーブル１２０の上側ケーブル１２０ａおよび下側ケーブル１２０ｂに設けられているタンパ線３０と連続するように接続されている。
このため、別途、検知スイッチ２２用のタンパ線を配索しなくても、キーパッド印刷配線板１６および制御部１０を保護しているタンパ線３０の経路を用いて、不正な侵入を検知することができる。
他の構成、および作用効果については、実施形態１，２と同一乃至均等であるので説明を省略する。
【００５６】
［実施形態４］
図１１は、実施形態４の検知部２１ｃで、フレキシブルケーブル１２０の端部の拡大斜視図を示し、（ａ）は、タンパ線３０が設けられたタンパ線延長部１２１を側縁から突出させた様子を示し、（ｂ）は、括れ部１２１ｂを折り曲げる工程を示し、実施形態３と同様に立壁状のタンパ線延長部１２１を円筒状の縦壁部として用いている。
【００５７】
なお、実施形態１〜３の入力装置と同一乃至均等な部分については、同一符号を付して説明を省略し、相違点を中心に説明する。
図１１（ｃ）は、タンパ線延長部１２１を丸めて筒状とした様子を示す拡大斜視図である。タンパ線延長部１２１の幅方向両端部は、重複部１２１ｃによって接合されている。
そして、図１２に示すように、実施形態４の検知部２１ｃでは、タンパ線延長部１２１が円筒状となって、内側面１２１ｅによって検知スイッチ２２の基部２２ｂの周囲を覆うように構成されている。
しかしながら、特にこれに限らず、重複部１２１ｃが接合されていなくてもよく、重ね合わせられて、タンパ線延長部１２１が円筒形状となればよい。さらにこの重複部１２１ｃの重ね合わせ方向の寸法量は、特に限定されるものではなく、例えば、数周に渡り、重ね合わせられていてもよい。
【００５８】
このように構成された実施形態４の検知部２１ｃでは、図１２に示すように、タンパ線延長部１２１が円筒状となって、内側面１２１ｅによって検知スイッチ２２の基部２２ｂの周囲を覆う。タンパ線延長部１２１の上端縁１２１ｄは、キーボードパネル１１の裏面側に当接して、隙間を減少させている。
このため、基部２２ｂに到達するような何れの方向からの不正な侵入が行われると、タンパ線延長部１２１のタンパ線３０が切断されて、制御部１０は、不正を検知することができる。
他の構成、および作用効果については、実施形態１〜３と同一乃至均等であるので説明を省略する。
【００５９】
［実施形態５］
図１３，１４は、実施形態５の入力装置としてのピンパッド２０６を示すものである。
なお、実施形態１〜４の入力装置と同一乃至均等な部分については、同一符号を付して説明を省略し、相違点を中心に説明する。
この実施形態５の検知部２１ｄでは、フレキシブルケーブル２２０の下側ケーブル２２０ｂから、タンパ線延長部２２１が突設されている。
図１４中（ａ）に示すように、下側ケーブル２２０ｂの内側面に配索されたタンパ線３０は、図１４中（ｂ）に示すように、括れ部２２１ｂにて内向きに折曲される。
【００６０】
このように構成された実施形態５の検知部２１ｄでは、実施形態４の作用効果に加えて更に、括れ部２２１ｂの折曲によって、下側ケーブル２２０ｂから連続する立壁状の縦壁部２２１ａは、図１５に示すように、メインケース７の基部２２ｂ側の内側面に沿って一直線状に配置される。
縦壁部２２１ａの内側面２２１ｅには、タンパ線３０の配索パターンが表示される。このため、メインケース７側の外側面からは、縦壁部２２１ａの配索パターンが見えないか、または、見えづらい。
したがって、メインケース７の内側まで不正に侵入した際、タンパ線３０の配索パターンから、タンパ線３０が侵入により切断されないように間隙を見つけて、縦壁部２２１ａの内側まで侵入することは困難である。よって、さらに、有効に不正を阻止出来る。
【００６１】
他の構成、および作用効果については、実施形態１〜４と同一乃至均等であるので説明を省略する。
【００６２】
［実施形態６］
図１４中（ｃ）および図１６は、実施形態６の検知部２１ｅを示すものである。
なお、実施形態１〜５と同一乃至均等な部分については、同一符号を付して説明を省略し、相違点を中心に説明する。
この実施形態６では、図１４中（ｃ）に示すように、立壁状の縦壁部２２１ａは、括れ部２２１ｂの折曲によって、下側ケーブル２２０ｂから連続して立設されている。そして、実施形態３，４と同様に立壁状のタンパ線延長部２２１を丸めて筒状の縦壁部として用いている。
タンパ線延長部２２１は、幅広方向の両端部間を重複部２２１ｃにて接合することにより、円筒状を呈している。このため、縦壁部２２１ａの内側面２２１ｅには、タンパ線３０の配索パターンが表示される。
【００６３】
このように構成された実施形態６の検知部２１ｅでは、実施形態５の作用効果に加えて更に、円環状に形成された縦壁部２２１ａは、図１６に示すように、検知スイッチ２２の基部２２ｂ側に対向する内側面２２１ｅに、タンパ線３０の配索パターンが表示される。
このため、メインケース７側の外側面からは、内側面２２１ｅの配索パターンが見えないか、または、見えづらい。
【００６４】
従って、どの方向からも、タンパ線３０の配索パターンを調べて、タンパ線３０を切断しないように間隙を見つけて侵入する不正行為を行うことが困難である。よって、さらに、有効に不正を阻止することが出来る。
他の構成、および作用効果については、実施形態１〜５と同一乃至均等であるので説明を省略する。
【００６５】
［実施形態７］
図１７，１８は、実施形態７の入力装置としてのピンパッド３０６に設けられる検知部２１ｆの構成を示すものである。
なお、実施形態１〜６と同一乃至均等な部分については、同一符号を付して説明を省略し、相違点を中心に説明する。
この実施形態７では、キーボードパネル１１１の下面側から、一方の防護部材となる立壁状の縦壁部１１１ａが下方に向けて一体となるように延設されている。
【００６６】
また、図１８に示すように、フレキシブルケーブル１２０の上側ケーブル１２０ａからは、他方の防護部材となるタンパ線延長部１２１が立設されている。
このタンパ線延長部１２１は、上側ケーブル１２０ａの外側縁から突設されて上方へ向けて折曲される括れ部１２１ｂと、この括れ部１２１ｂに連設される幅広で立壁状の縦壁部１２１ａとを含み、平面視略Ｔ字状を呈している。
そして、タンパ線延長部１２１は、縦壁部１１１ａのメインケース７側の外側面１１１ｂと平行に沿うように、重ねられて設けられている。縦壁部１１１ａとタンパ線延長部１２１とは、接合されていてもよい。
【００６７】
このように構成された実施形態７の検知部２１ｆでは、実施形態３の作用効果に加えてさらに、キーボードパネル１１１の下面側から一体に延設される外側面１１１ｂに対して、タンパ線延長部１２１の立壁状の縦壁部１２１ａが重ね合わせられて設けられている。
タンパ線延長部１２１は、外側面１１１ｂによって裏面側から支持されて、形状安定性が向上するため、平板の立壁形状を維持することができる。よって、タンパ線延長部１２１が撓んだり、折れ曲がる虞が減少し、不正な侵入によってタンパ線３０を切断させて検知しやすくすることができる。
【００６８】
また、縦壁部１１１ａは、キーボードパネル１１１の下面側から一体に延設される。このため、キーボードパネル１１１と同様の比較的剛性の高い部材で縦壁部１１１ａを形成することにより、不正な侵入を防止可能な構造とすることができる。
従って、不正な侵入が外側の縦壁部１２１ａを通過しても、内側の縦壁部１１１ａによって阻止される。
【００６９】
特に、この実施形態７では、フレキシブルケーブル１２０の上側ケーブル１２０ａから括れ部１２１ｂにて折曲されて縦壁部１２１ａが延設される上方への方向と、キーボードパネル１１１の下面側から一体に縦壁部１１１ａが延設される下方への方向とが互い違いに形成されていて、上下方向で重複する部分が生じるように形成されている。
このため、縦壁部１２１ａの上端縁１２１ｄとキーボードパネル１１１の下面側の隙間から不正な侵入が行われても、キーボードパネル１１１と一体に設けられている縦壁部１１１ａによって阻止することができる。
【００７０】
他の構成、および作用効果については、実施形態１〜６と同一乃至均等であるので説明を省略する。
【００７１】
［実施形態８］
図１９，２０は、実施形態８のピンパッド４０６に設けられる検知部２１ｆの構成を示すものである。
なお、実施形態１〜７と同一乃至均等な部分については、同一符号を付して説明を省略し、相違点を中心に説明する。
【００７２】
実施形態８のピンパッド４０６では、実施形態７のピンパッド３０６のキーボードパネル１１１に代えて、実施形態２（図７，８参照）のような２枚重ねで構成されるキーボードパネル２５を一部変更したキーボードパネル１２５を用いて、検知部２１ｆが構成されている。
すなわち、このキーボードパネル１２５は、上側パネル１２６と下側パネル１２７との２枚によって構成されている。
このうち、下側パネル１２７には、スリット状の係合溝部１２７ａが貫通形成されている。
【００７３】
また、タンパ線延長部１２１は、上側ケーブル１２０ａの外側縁から突設されて上方へ向けて折曲される括れ部１２１ｂと、この括れ部１２１ｂに連設される幅広で立壁状の縦壁部１２１ａとを含み、平面視略Ｔ字状を呈している。
さらに、縦壁部１２１ａは、キーボードパネル１２５に対して別体で形成された裏あて板１２８のメインケース７側の外側面１２８ａに、重ねられて設けられている。縦壁部１２１ａと裏あて板１２８とは、接合されていてもよい。
そして、縦壁部１２１ａと裏あて板１２８とは、係合溝部１２７ａに下方から挿入されて係合により固定される。
【００７４】
このように構成された実施形態８の検知部２１ｆでは、２枚の上側パネル１２６と下側パネル１２７とのうち、下側パネル１２７に形成された係合溝部１２７ａに、裏あて板１２８とともにタンパ線３０が設けられた縦壁部１２１ａを挿入、係合させて固定している。
このため、メインケース７の上縁部７ｂと下側パネル１２７の下面側との間から不正な侵入が試みられても、縦壁部１２１ａと裏あて板１２８とによって、二段階で阻止される。
他の構成、および作用効果については、実施形態１〜７と同一乃至均等であるので説明を省略する。
【００７５】
［実施形態９］
図２１は、実施形態９の入力装置としてのピンパッド５０６に設けられる検知部２１ｈの構成を示すものである。
なお、実施形態１〜８と同一乃至均等な部分については、同一符号を付して説明を省略し、相違点を中心に説明する。
この実施形態９のピンパッド５０６は、実施形態４の構成に加えて、キーボードパネル２１１を備える。キーボードパネル２１１は、下面側にキーパッド印刷配線板１６方向に向けて、一体に延設される円筒状の縦壁部２１１ａが設けられている。
このように構成された実施形態９の検知部２１ｈでは、検知スイッチ２２の周囲の全周に渡り、円筒状のタンパ線延長部１２１および縦壁部２１１ａが配置される。このため、実施形態７の作用効果に加えてさらに、如何なる方向からの不正な侵入であっても効果的に阻止できる。
他の構成、および作用効果については、実施形態１〜８と同一乃至均等であるので説明を省略する。
【００７６】
［実施形態１０］
図２２は、実施形態１０の入力装置としてのピンパッド６０６に設けられる検知部２１ｉの構成を示すものである。
なお、実施形態１〜９と同一乃至均等な部分については、同一符号を付して説明を省略し、相違点を中心に説明する。
この実施形態１０のピンパッド６０６は、実施形態６の筒状のタンパ線延長部２２１（図１６参照）を有する構成に、キーボードパネル２１１からキーパッド印刷配線板１６の方向に向けて、一体に延設される円筒状の縦壁部２１１ｂを組み合わせたものである。
他の構成、および作用効果については、実施形態１〜９と同一乃至均等であるので説明を省略する。
【００７７】
［実施形態１１］
図２３は、実施形態１１の入力装置としてのピンパッド７０６に設けられる検知部２１ｊの構成を示すものである。
なお、実施形態１〜１０と同一乃至均等な部分については、同一符号を付して説明を省略し、相違点を中心に説明する。
この実施形態１１のピンパッド７０６は、実施形態２のリング部材２８（図８参照）に、実施形態４のタンパ線延長部１２１（図１１参照）を組み合わせたものである。
他の構成、および作用効果については、実施形態１〜１０と同一乃至均等であるので説明を省略する。
【００７８】
［実施形態１２］
図２４は、実施形態１２の入力装置としてのピンパッド８０６に設けられる検知部２１ｋの構成を示すものである。
なお、実施形態１〜１１と同一乃至均等な部分については、同一符号を付して説明を省略し、相違点を中心に説明する。
この実施形態１２のピンパッド８０６は、実施形態８の直線状のタンパ線延長部１２１および裏あて板１２８（図２０参照）を、筒状のタンパ線延長部１２１および裏あて筒部材２２８が組み合わせられたものに変更している。
他の構成、および作用効果については、実施形態１〜１１と同一乃至均等であるので説明を省略する。
【００７９】
［実施形態１３］
図２５は、実施形態１３の入力装置としてのピンパッド９０６に設けられる検知部２１ｌの構成を示すものである。
なお、実施形態１〜１２と同一乃至均等な部分については、同一符号を付して説明を省略し、相違点を中心に説明する。
この実施形態１３のピンパッド９０６は、実施形態１２（図２４参照）の筒状のタンパ線延長部１２１に代えて、裏あてとして用いられる筒状のリング部材２２８の内側面２２８ａに沿うように配置されたタンパ線延長部２２２を用いている。
タンパ線延長部２２２は、フレキシブルケーブル２０の上側ケーブル２０ａを一部折り返し部２０ｃにて折り返すことにより形成されている。
他の構成、および作用効果については、実施形態１〜１２と同一乃至均等であるので説明を省略する。
【００８０】
［実施形態１４］
図２６は、実施形態１４の入力装置としてのピンパッド７２６に設けられる検知部２１ｍの構成を示すものである。
なお、実施形態１〜１３と同一乃至均等な部分については、同一符号を付して説明を省略し、相違点を中心に説明する。
この実施形態１４のピンパッド７２６は、実施形態１１（図２３参照）のタンパ線延長部２２１に代えて、実施形態５，６（図１５，１６参照）の下側ケーブル２０ｂから延長して筒状に形成されるタンパ線延長部２２２を用いている。
他の構成、および作用効果については、実施形態１〜１３と同一乃至均等であるので説明を省略する。
【００８１】
［実施形態１５］
図２７は、実施形態１５の入力装置としてのピンパッド８２６に設けられる検知部２１ｎの構成を示すものである。
なお、実施形態１〜１４と同一乃至均等な部分については、同一符号を付して説明を省略し、相違点を中心に説明する。
この実施形態１５のピンパッド８２６は、実施形態１２（図２４参照）の筒状のタンパ線延長部１２１に代えて、実施形態５，６（図１５，１６参照）の下側ケーブル２０ｂから延長して筒状に形成されるタンパ線延長部２２２を用いている。
すなわち、下側パネル２７に形成された挿通孔２７ａに、裏あて筒部材２２８の上端２２８ｂとともにタンパ線３０が設けられたタンパ線延長部２２２の上端２２２ａが挿入、係合されている。
他の構成、および作用効果については、実施形態１〜１４と同一乃至均等であるので説明を省略する。
【００８２】
［実施形態１６］
図２８，２９は、実施形態１６の入力装置としてのピンパッド９２６に設けられる検知部２１ｐの構成を示すものである。
なお、実施形態１〜１５と同一乃至均等な部分については、同一符号を付して説明を省略し、相違点を中心に説明する。
【００８３】
この実施形態１６の検知部２１ｐは、金属製のリング部材３２８と、金属製の縦壁部材２９とを組み合わせた防護部材１３０を設けている。
このうち、金属製のリング部材３２８は、実施形態２（図７，８参照）の防護部材としてのリング部材２８と同様に、円筒形状を呈して構成されていて、上下方向略中央に環状の段差部３２８ａが形成されている。
【００８４】
また、縦壁部材２９は、段差部３２８ａに係合する係合孔２９ａが形成される水平板部２９ｄと、Ｌ字状壁部２９ｂとを有している。Ｌ字状壁部２９ｂには、水平板部２９ｄと直交する面延設方向を有する縦壁２９ｃが水平板部２９ｄと一体に形成されている。
このうち、縦壁２９ｃは、メインケース７の側面と平行となるように直線状に形成されている。縦壁２９ｃの幅方向の寸法Ｗ１は、係合孔２９ａの径方向の寸法ｄよりも大きくなるように設定されている（図２８参照）。
そして、リング部材３２８の段差部３２８ａは、下側パネル２７の挿通孔２７ａおよびこの係合孔２９ａに嵌合するように構成されている（図２９参照）。
【００８５】
このように構成された実施形態１６の検知部２１ｐを備えたピンパッド９２６では、縦壁部材２９の係合孔２９ａがリング部材３２８の段差部３２８ａに係合する。これにより、縦壁部材２９の直線状の縦壁２９ｃは、メインケース７の側壁の内側に沿って平行に配置される。
このため、縦壁部材２９は、リング部材３２８を中心として回転することなく、メインケース７の側壁の内側面に向かい合う。
【００８６】
そして、さらに、検知スイッチ２２に対してメインケース７の側壁側から不正な侵入が行われても、縦壁部材２９およびリング部材３２８によって阻まれて、物理的に検知スイッチ２２の基部２２ｂおよび段差部３２８ａに到達することが出来ない。
また、この実施形態１６では、直線状の縦壁２９ｃが係合孔２９ａの径方向の寸法ｄよりも幅方向の寸法Ｗ１が大きくなるように形成されている。
このため、リング部材３２８を単体で用いる場合と比して、縦壁部材２９が広い箇所からの不正な侵入を防止することができる。
【００８７】
他の構成、および作用効果については、実施形態１〜１５と同一乃至均等であるので説明を省略する。
以上、各実施形態に係る入力装置について詳述してきたが、本発明はこれらの実施形態に限定されるものではなく、本発明の趣旨を逸脱しない範囲で適宜変更可能であることは言うまでない。
【００８８】
例えば、各実施形態では、検知部を有する入力装置としてピンパッド６〜９２６を例示して説明してきたが、特にこれに限らず、たとえばＡＴＭ等の自動取引装置のキーボード部に用いられるテンキーや、暗証番号を入力する際に用いる他の入力装置を備えたものであってもよい。
すなわち、キー操作による入力が可能な入力ボタンを設けているものに限らず、守秘情報を内部に有するものであれば、どのような寸法、形状、および材質のメインケース７および上蓋等を用いているものであってよい。また、入力装置は、自動預け払い機１に用いられるものに限定されるものではない。
【００８９】
そして、実施形態では、ピンパッド６が筺体２の操作者側に位置する前面部３に設けられた操作パネル部材４に装着されている。しかしながら、特にこれに限らず、例えば、筺体２の側面や背面等、どの部分にピンパッド６が装着されていてもよい。
【００９０】
さらに、この実施形態の制御部１０は、ショートまたは断線等により不正を検知すると守秘情報被攻撃信号を発出して守秘機能処理部分内の守秘情報を破棄する等に構成されている。しかしながら、特にこれに限らず、たとえば、自動預け払い機１の制御を停止させるようにしてもよく、守秘情報の廃棄と制御の停止とを同時に行うようにしてもよい。
【００９１】
そして、実施形態では、リング部材２４，２８および縦壁部２１１ａ，２１１ｂを円筒形状としたが特にこれに限らず、筒状であれば楕円形、長円形、三角筒形、四角筒形等、他の多角筒形状、あるいは、水平断面形状が円形ではないものであってもよい。さらに、筒状形状の一部または大部分が切り欠かれていても、検知スイッチ２２の周囲に設けられるものであればよい。
【００９２】
そして、実施形態では、防護部材の範囲を周方向では、メインケース７の中心から遠い側であるメインケース７の側面部との間、もしくは、全周としているが、特にこれに限らず、例えば、メインケース７の中心から近い側である操作キー１０１ｂ，１０１ｃが設けられている部分との間の一部であっても、周囲に設けられていればよい。
段差部２８ａの周囲に設けられる防護部材の上下方向の範囲は、たとえば挿通孔１１ａの周縁部の下側から、検知スイッチ２２のボタン部２２ａが押し下げられたＯＮ状態の段差部２２ｅの上面位置までの範囲に存在し、さらに好ましくは、段差部２２ｅのストローク範囲内であればよい。
【００９３】
さらに、この実施形態の段差部２２ｅの形状が挿通孔１１ａの周縁部の下側に面当たりする平面形状となるように形成されている。しかしながら、特にこれに限らず、段差部２２ｅが面取りされていたり、あるいは、外径方向に向けて斜めに下降する円錐状を呈していてもよい。
【符号の説明】
【００９４】
１                          自動預け払い機
２                          筺体
４                          操作パネル部材
４ａ                        パッド開口部
４ｃ                        被装着部
６，１０６〜９２６          ピンパッド（入力装置）
７                          メインケース（ケース）
７ａ                        開口部
１１                        キーボードパネル（パネル）
２０，１２０                フレキシブルケーブル
２１，２１ａ〜２１ｎ，２１ｐ検知部
２２                        検知スイッチ
２４，２８，２２８，３２８  リング部材（防護部材）
２９                        縦壁部材（防護部材）
３０                        タンパ線
１２１，２２１，２２２      タンパ線延長部
１２１ａ，２２１ａ          縦壁部（防護部材）
１２１ｂ，２２１ｂ          周壁部（防護部材）
１２８                      裏あて板（防護部材）
１３０                      防護部材
【図１】
2018139095.tif 000003
【図２】
2018139095.tif 000004
【図３】
2018139095.tif 000005
【図４】
2018139095.tif 000006
【図５】
2018139095.tif 000007
【図６】
2018139095.tif 000008
【図７】
2018139095.tif 000009
【図８】
2018139095.tif 000010
【図９】
2018139095.tif 000011
【図１０】
2018139095.tif 000012
【図１１】
2018139095.tif 000013
【図１２】
2018139095.tif 000014
【図１３】
2018139095.tif 000015
【図１４】
2018139095.tif 000016
【図１５】
2018139095.tif 000017
【図１６】
2018139095.tif 000018
【図１７】
2018139095.tif 000019
【図１８】
2018139095.tif 000020
【図１９】
2018139095.tif 000021
【図２０】
2018139095.tif 000022
【図２１】
2018139095.tif 000023
【図２２】
2018139095.tif 000024
【図２３】
2018139095.tif 000025
【図２４】
2018139095.tif 000026
【図２５】
2018139095.tif 000027
【図２６】
2018139095.tif 000028
【図２７】
2018139095.tif 000029
【図２８】
2018139095.tif 000030
【図２９】
2018139095.tif 000031